(57)【要約】【課題】押さえ部材と縦板部とによる吊下げ対象物の挟持状態を簡単且つ短時間で解除し得る吊下げ装置を提供する。【解決手段】縦板部５と傾斜板部６とが下向きに開口するスリット状差込口８を有する挟持空間９を両板部５、６間に形成する状態で備えられ、縦板部５との間で吊下げ対象物１を係止する押さえ部材１１が挟持空間９内に配設されている吊下げ装置２であって、傾斜板部５には、押さえ部材１１に対する直接操作が可能な状態に押さえ部材１１を外部に臨ませる操作窓１２が開口形成されている。【選択図】図１
2010162206.tif 000002
【特許請求の範囲】
【請求項１】
縦板部と下方ほど縦板部に近くなる傾斜姿勢の傾斜板部とが下向きに開口するスリット状の差込口を有する吊下げ対象物用の挟持空間を両板部間に形成する状態で備えられているとともに、前記縦板部との間で吊下げ対象物を挟持可能な押さえ部材が前記挟持空間内に配設され、
前記差込口を通過させる状態で吊下げ対象物を上動操作するのに伴い、吊下げ対象物との接触により前記押さえ部材が前記挟持空間内で上方且つ前記傾斜板部側に移動して吊下げ対象物の上動移動を許容し、且つ、吊下げ対象物に対する前記上動操作を停止するのに伴い重力により押さえ部材が挟持空間内で下方且つ前記縦板部側に移動して縦板部との間で吊下げ対象物を挟持するように構成されている吊下げ装置であって、
前記傾斜板部には、前記押さえ部材に対する直接操作が可能な状態に押さえ部材を外部に臨ませる操作窓が開口形成されている吊下げ装置。
【請求項２】
前記押さえ部材が、横姿勢の棒状体から構成されているとともに、
前記操作窓が、前記棒状体の長さ方向の一部分又は複数部分を外部に臨ませる状態で形成され、
前記棒状体における長さ方向に直交する方向の外形寸法について、前記棒状体の外部に臨む部分の少なくとも一部が棒状体の最大外形寸法よりも小に構成されている請求項１記載の吊下げ装置。
【請求項３】
前記押さえ部材が、横姿勢の棒状体から構成されているとともに、
前記操作窓が、少なくとも前記棒状体の長さ方向中央部を外部に臨ませる状態で形成されている請求項１又は２記載の吊下げ装置。
【請求項４】
前記棒状体の姿勢を調整するための第２の操作窓が棒状体の長さ方向端部を外部に臨ませる状態で形成されている請求項３記載の吊下げ装置。
【請求項５】
前記縦板部の横方向の長さ寸法に対応する装置幅寸法が吊下げ対象物の幅寸法よりも小に構成されているとともに、
前記スリット状差込口が、装置下部から装置幅方向両端面の上方部に亘る形態で形成されている請求項１〜４のいずれか１項に記載の吊下げ装置。
【請求項６】
前記押さえ部材の外周面には、凹部又は凸部或いはそれらの両方が形成されている請求項１〜５のいずれか１項に記載の吊下げ装置。
【請求項７】
上着吊下げ用のハンガー体に対する取り付け部が設けられている請求項１〜６のいずれか１項に記載の吊下げ装置。
【発明の詳細な説明】
【技術分野】
【０００１】
本発明は、吊下げ対象物（例えば、スラックス等のズボン等の衣類、カーテンや生地見本等の布類、ポスターやカレンダー等の紙類）を整理や展示や掲示等の目的で吊下げるための吊下げ装置に関する。
詳しくは、縦板部と下方ほど縦板部に近くなる傾斜姿勢の傾斜板部とが下向きに開口するスリット状の差込口を有する吊下げ対象物用の挟持空間を両板部間に形成する状態で備えられているとともに、前記縦板部との間で吊下げ対象物を挟持可能な押さえ部材が前記挟持空間内に配設され、前記差込口を通過させる状態で吊下げ対象物を上動操作するのに伴い、吊下げ対象物との接触により前記押さえ部材が前記挟持空間内で上方且つ前記傾斜板部側に移動して吊下げ対象物の上動移動を許容し、且つ、吊下げ対象物に対する前記上動操作を停止するのに伴い重力により押さえ部材が挟持空間内で下方且つ前記縦板部側に移動して縦板部との間で吊下げ対象物を挟持するように構成されている吊下げ装置に関する。
【背景技術】
【０００２】
この種の吊下げ装置は、前記差込口を通過させる状態で吊下げ対象物を上動操作するだけの簡単な操作で吊下げ対象物を吊下げ支持することができる優れた利点がある。そして、従来、この種の吊下げ装置では、前記縦板部と前記傾斜板部の両方が前記押さえ部材の全域を被覆する形状（つまり、開口穴等の存在しない形状）から構成されていた（例えば、下記特許文献１〜３を参照）。
【０００３】
つまり、この従来の吊下げ装置では、吊下げ対象物を取り外す場合、吊下げ対象物の下部を上方外方（つまり、上方且つ傾斜板部側）に引張操作したり、或いは、吊下げ対象物の上部を更に上動操作したりすることで、押さえ部材を挟持空間内で上方且つ傾斜板部側に移動させ、これにより、押さえ部材と縦板部とによる吊下げ対象物の挟持状態を解除する。
【先行技術文献】
【特許文献】
【０００４】
【特許文献１】特開平９−３３００５１号公報
【特許文献２】特開昭５８−１８２９６５号公報
【特許文献３】特開昭５３−１４０３８９号公報
【発明の概要】
【発明が解決しようとする課題】
【０００５】
ところが、上記従来の吊下げ装置では、押さえ部材と縦板部とによる吊下げ対象物の挟持状態を解除するのに、外部から見えない又は見え難い押さえ部材を吊下げ対象物を介して間接的に移動操作するため、押さえ部材と縦板部とによる吊下げ対象物の挟持状態が強固な場合（例えば、吊下げ対象物の厚み寸法が大きい場合や吊下げ対象物の表面の摩擦抵抗が大きい場合）など、押さえ部材の移動操作が難しく、そのことで、押さえ部材と縦板部とによる吊下げ対象物の挟持状態を解除に不測に手間がかかる問題があった。
【０００６】
本発明は、上述の実情に鑑みて為されたものであって、その主たる課題は、押さえ部材と縦板部とによる吊下げ対象物の挟持状態を簡単且つ短時間で解除し得る吊下げ装置を提供する点にある。
【課題を解決するための手段】
【０００７】
本発明の第１特徴構成は、吊下げ装置に係り、その特徴は、
縦板部と下方ほど縦板部に近くなる傾斜姿勢の傾斜板部とが下向きに開口するスリット状の差込口を有する吊下げ対象物用の挟持空間を両板部間に形成する状態で備えられているとともに、前記縦板部との間で吊下げ対象物を挟持可能な押さえ部材が前記挟持空間内に配設され、
前記差込口を通過させる状態で吊下げ対象物を上動操作するのに伴い、吊下げ対象物との接触により前記押さえ部材が前記挟持空間内で上方且つ前記傾斜板部側に移動して吊下げ対象物の上動移動を許容し、且つ、吊下げ対象物に対する前記上動操作を停止するのに伴い重力により押さえ部材が挟持空間内で下方且つ前記縦板部側に移動して縦板部との間で吊下げ対象物を挟持するように構成されている吊下げ装置であって、
前記傾斜板部には、前記押さえ部材に対する直接操作が可能な状態に押さえ部材を外部に臨ませる操作窓が開口形成されている点にある。
【０００８】
上記構成によれば、前記操作窓を通じての前記押さえ部材に対する直接操作によって押さえ部材を移動させることができるから、押さえ部材の移動操作の操作性や操作力を大幅に高めることができ、これにより、吊下げ対象物の挟持状態を容易且つ短時間で解除することができる。
【０００９】
しかも、例えば、前記操作窓が前記縦板部に形成されている場合では、吊下げ対象物の奥側（裏側）に位置する押さえ部材を移動操作することになるが、前記操作窓が前記傾斜板部に形成されているから、押さえ部材の操作に吊下げ対象物が邪魔になることもない。
【００１０】
なお、前記縦板部とは、水平面となす角度が４５度を超え且つ前記傾斜板部よりも鉛直寄りの姿勢のものを云う。
【００１１】
本発明の第２特徴構成は、第１特徴構成の実施に好適な構成であり、その特徴は、
前記押さえ部材が、横姿勢の棒状体から構成されているとともに、
前記操作窓が、前記棒状体の長さ方向の一部分又は複数部分を外部に臨ませる状態で形成され、
前記棒状体における長さ方向に直交する方向の外形寸法について、前記棒状体の外部に臨む部分の少なくとも一部が棒状体の最大外形寸法よりも小に構成されている点にある。
【００１２】
上記構成によれば、前記操作窓を通して前記棒状体の外部に臨む部分の少なくとも一部が棒状体の最大外形寸法よりも小なる外形寸法で形成されているから、吊下げ対象物に対する挟持力は押さえ部材の最大外形寸法部分で確保しながらも押さえ部材を摘み易くすることができ、これにより、押さえ部材の移動操作の操作性や操作力を一層高めることができる。
【００１３】
また、棒状体の外部に臨む部分の少なくとも一部の外形寸法を小さくする分だけ操作窓の開口面積を小さくすることができ、これにより、傾斜板部の開口に伴う傾斜板部の強度低下や吊下げ対象物に対する挟持力の低下も効果的に抑止するが可能になる。
【００１４】
本発明の第３特徴構成は、第１又は第２特徴構成の実施に好適な構成であり、その特徴は、
前記押さえ部材が、横姿勢の棒状体から構成されているとともに、
前記操作窓が、少なくとも前記棒状体の長さ方向中央部を外部に臨ませる状態で形成されている点にある。
【００１５】
上記構成によれば、前記操作窓を通して前記棒状体の重心又はそれに近い部分を直接操作することができるから、押さえ部材の移動操作の操作性や操作力を一層高めることができる。
【００１６】
本発明の第４特徴構成は、第３特徴構成の実施に好適な構成であり、その特徴は、
前記棒状体の姿勢を調整するための第２の操作窓が棒状体の長さ方向端部を外部に臨ませる状態で形成されている点にある。
【００１７】
上記構成によれば、例えば、棒状体の移動操作に伴い棒状体の姿勢が所定姿勢から変化した場合でも、第２操作窓を通しての棒状体の端部の操作で棒状体の姿勢を容易且つ短時間で調整することができる。
【００１８】
本発明の第５特徴構成は、第１〜第４特徴構成のいずれかの実施に好適な構成であり、その特徴は、
前記縦板部の横方向の長さ寸法に対応する装置幅寸法が吊下げ対象物の幅寸法よりも小に構成されているとともに、
前記スリット状差込口が、装置下部から装置幅方向両端面の上方部に亘る形態で形成されている点にある。
【００１９】
上記構成によれば、例えば、吊下げ対象物の上部の幅方向両端部を両手で掴んだ状態で吊下げ対象物を上方移動させることにより、吊下げ対象物の幅方向中間部を吊下げ支持させることができるから、吊下げ対象物の可撓性が高い場合でも吊下げ対象物を容易に吊下げ支持させることができる。
【００２０】
本発明の第６特徴構成は、第１〜第５特徴構成のいずれかの実施に好適な構成であり、
前記押さえ部材の外周面には、凹部又は凸部或いはそれらの両方が形成されている点にある。
【００２１】
上記構成によれば、前記押さえ部材の外周面に形成した前記凹部や前記凸部によって押さえ部材と吊下げ対象物との摩擦抵抗を増大させることができるから、その分、吊下げ対象物に対する挟持力を高めることができる。
【００２２】
本発明の第７特徴構成は、第１〜第６特徴構成のいずれかの実施に好適な構成であり、その特徴は、
上着吊下げ用のハンガー体に対する取り付け部が設けられている点にある。
【００２３】
上記構成によれば、既存のハンガー体を利用する形態で既存のハンガー体とは異なる吊下げ対象物を吊下げ支持することが可能になる。
【図面の簡単な説明】
【００２４】
【図１】吊下げ装置の第１実施形態を示す斜視図
【図２】吊下げ装置の使用方法を示す説明断面図
【図３】吊下げ装置の使用方法を示す説明断面図
【図４】吊下げ装置の第２実施形態を示す斜視図
【図５】吊下げ装置の第２実施形態を示す説明断面図
【図６】吊下げ装置の第３実施形態を示す斜視図
【図７】吊下げ装置の第３実施形態を示す説明断面図
【発明を実施するための形態】
【００２５】
［第１実施形態］
図１は、家庭や店舗等でスラックス等のズボン１（吊下げ対象物の一例）を吊下げるのに使用される吊下げ装置２を示し、この吊下げ装置２は、硬質樹脂素材から略横向き筒状に構成されているとともに、図示しない支持棒等（支持部の一例）に対するフック部材４（支持部に対する取り付け部の一例）が上面部に設けられている。
【００２６】
前記吊下げ装置２は、略垂直姿勢の縦板部５と、下方ほど縦板部５に近くなる傾斜姿勢の傾斜板部６と、縦板部５と傾斜板部６の上端どうしを接続する天板部７とから構成されている。なお、当該吊下げ装置２の幅寸法（装置幅寸法）Ｗ２は、ズボン１の幅寸法Ｗ１よりも小に構成されている。
【００２７】
前記縦板部５と傾斜板部６は、下向きに開口するスリット状の差込口８を有する横断面視略楔状の挟持空間９を両板部５、６間に形成する状態で備えられている。前記傾斜板部６の両端部には、スリット状差込口８を装置幅方向の両端部にまで延長させる状態で装置両端面を部分的に閉塞する蓋部１０が備えられている。
【００２８】
また、前記挟持空間９には、前記縦板部５との間でズボン１を挟持する横姿勢の棒状体１１（押さえ部材の一例）が挿設されている。当該棒状体１１は、図２に示すように、最大外径寸法（棒状体１１の長さ方向に直交する方向の長さ寸法の一例）Ｒ１がスリット状差込口の開口幅寸法Ｗ３よりも大に構成されている。
【００２９】
そして、当該吊下げ装置２には、前記棒状体１１に対する直接操作が可能な状態に棒状体１１を外部に臨ませる操作窓１２が開口形成されている。当該操作窓１２は、棒状体１１の長さ方向の中央部を外部に臨ませるように、装置幅方向の中央部において傾斜板部６の全部と天板部７の略半分の領域を開口して構成されている。
【００３０】
前記棒状体１１は、金属等の比較的比重の高い素材からなる中実な芯棒１４の長さ方向の両端部に樹脂製等の外筒体１３を被せて構成されている。
【００３１】
すなわち、棒状体１１は、長さ方向両端部が最大外形寸法Ｒ１に構成されているとともに、長さ方向中央部が最大外形寸法Ｒ１よりも小に構成されている。なお、前記外筒体１３の外周面には、長さ方向に延びる凸条１５と凹溝１６が周方向に沿って交互に連続形成されている。
【００３２】
前記フック部材４としては、支持棒等を把持するタイプのものを用いている。具体的には、フック部材４は、吊下げ装置２の天板部７に縦軸心Ｙ周りで回転自在に取り付けられた先端がやや屈曲した略への字状の基部１７と、該基棒部１７に支持軸１８を介して枢着されたフック部１９と、該フック部１９の先端部と基部１７の先端部とが近接した閉じ姿勢にフック部１９を揺動付勢するコイルスプリング２０（弾性付勢体の一例）とから構成されている。また、前記フック部１９の基端側には、操作者の握り操作によりフック部１９を開き姿勢に姿勢変更する操作部２１が備えられている。
【００３３】
つまり、当該吊下げ装置２は、図２（ａ）〜（ｂ）に示すように、前記スリット状差込口８を通過させる状態でズボン１を上動操作するのに伴い、ズボン１との摩擦抵抗によって棒状体１１が挟持空間９内で上方且つ傾斜板部６側（図中の右斜め上方）に移動する形態でズボン１の上動移動を許容する。
【００３４】
そして、図２（ｂ）〜（ｃ）に示すように、ズボン１に対する前記上動操作を停止するのに伴い、重力により棒状体１１が挟持空間９内で下方且つ縦板部５側（図中の左斜め下方）に移動して縦板部５と傾斜板部６との間でズボン１を挟持するように構成されている。
【００３５】
また、吊下げ装置２は、図３（ａ）〜（ｂ）に示すように、ズボン１を挟持した状態で操作窓１２を通して棒状体１１の長さ方向中央部を操作者の指で上方側に持ち上げる操作（直接操作の一例）を行うことにより、図３（ｂ）〜（ｃ）に示すように、棒状体１１が挟持空間９内で上方且つ傾斜板部６側（図中の右斜め上方）に移動してズボン１に対する挟持力を解除し、これにより、ズボン１が取り外されるように構成されている。
【００３６】
［第２実施形態］
本第２実施形態では、図４、図５に示すように、前記吊下げ装置２が、略垂直姿勢の縦板部５と、下方ほど縦板部５に近くなる奥行き方向一対の傾斜姿勢の第１、第２傾斜板部６、６と、縦板部５と両傾斜板部６、６の上端を接続する天板部７とから構成されている。
【００３７】
つまり、本第２実施形成の吊下げ装置２では、一対のズボンを同時に吊下げ可能なように、前記スリット状差込口８を有する前記挟持空間９が奥行き方向に一対づつ形成されているとともに、各挟持空間９の各々に前記棒状体１１が挿設されている。
【００３８】
さらに、各傾斜板部６、６の幅方向両端部には、棒状体１１の姿勢を調整するための第２の操作窓２２が棒状体１１の長さ方向端部を外部に臨ませる状態で形成されている。当該第２操作窓２２の開口幅寸法Ｗ４は、前記操作窓１２の開口幅寸法よりも小に構成されている。また、前記フック部材４は、支持棒等に引っ掛けるタイプの略Ｃ字状のものを用いている。
【００３９】
尚、その他の構成は、第１実施形態で説明した構成と同様であるから、同様の構成箇所には、第１実施形態と同一の番号を付記してそれの説明は省略する。
【００４０】
［第３実施形態］
本第３実施形態の吊下げ装置２では、図６、図７に示すように、上着吊下げ用のハンガー体２３（例えば、既存のハンガー体）に対する取り付け部２４が備えられている。
【００４１】
前記吊下げ装置２は、前記縦板部５を備える第１板部材２５と、前記傾斜板部６を備える第２板部材２６をビス２７（固定手段の一例）で固定して構成されている。
【００４２】
前記第１部材２５には、前記縦板部５の上端から前記傾斜板部６とは反対向きに水平又はほぼ水平姿勢で突出する第１固定板部２８が形成されているとともに、前記第２部材２６には、前記傾斜板部６の上端から前記縦板部の側に水平又はほぼ水平姿勢で突出する第２固定板部２９が形成されている。
【００４３】
前記第２固定板部２９の突出寸法は、前記第１固定板部の突出寸法の約２倍に構成されている。そして、両固定板部２８、２９は、それらの先端部どうしを重ねた重合姿勢でビス２７により固定されている。つまり、第２固定板部２９の基側半領域が吊下げ装置２の前記天板部７を構成する。
【００４４】
前記取り付け部２４は、前記第１固定板部２８の下面部から構成されている。具体的には、前記第１固定板部２８の下面部における縦板部５側の部位には、装置幅方向の端部間に亘る長さの両面テープ３０（取り付け手段の一例）が貼着されている。
【００４５】
つまり、当該吊下げ装置２は、両面テープ３０の粘着力により上着用ハンガー体２３の桟部３１の上面に取り付け可能に構成されている。また、前記棒状体１１は、中実な合成樹脂製の素材からなる一層構造で構成されている。
【００４６】
尚、その他の構成は、第１実施形態で説明した構成と同様であるから、同様の構成箇所には、第１実施形態と同一の番号を付記してそれの説明は省略する。
【００４７】
［その他の実施形態］
（１）吊下げ装置２の素材や色彩や形状等の具体的構成は、前述の各実施形態で示した
構成に限らず種々の構成変更が可能である。例えば、吊下げ装置２が軟質樹脂や金属やゴムなどの素材から構成されていてもよい。
【００４８】
また、例えば、前記押さえ部材（棒状体１１）の姿勢や状態が目視可能なように、前記傾斜板部６（或いは、傾斜板部６と縦板部５と天板部７と蓋部１０の一部又は全部）を透明な素材或いは透光性素材から構成するとともに、押さえ部材１１を不透明な素材から構成してもよい。
【００４９】
（２）前述の各実施形態では、押さえ部材１１が棒状体から構成されている場合を例に示したが、１個又は複数個の球状体や立法体又は直方体等から構成されていてもよい。
【００５０】
（３）前述の各実施形態では、操作窓１２が傾斜板部６と天井板部７とに形成されている場合を例に示したが、傾斜板部６のみ又は傾斜板部６と縦板部８の各々に形成されていてもよい。また、傾斜板部６と天井板部７と縦板部８とに形成されていてもよい。
【００５１】
（４）ハンガー体２３に対する取り付け部２４の具体的構成は、前述の第３実施形態で示した構成に限らす種々の構成変更が可能であり、例えば、ハンガー体２３の桟部３１に嵌合可能な嵌合部や桟部３１に係止可能な係止部等から構成されていてもよい。
【００５２】
（５）前述の各実施形態では、吊下げ対象物がズボン１である場合を例に示したが、スカートやシャツや上着等の各種の衣類、又は、カーテンや生地見本等の各種の布類、或いは、ポスターやカレンダー等の各種の紙類等であってもよい。
【符号の説明】
【００５３】
１          吊下げ対象物
２          吊下げ装置
５          縦板部
６          傾斜板部
８          差込口
９          挟持空間
１１        棒状体（押さえ部材）
１２        操作窓
１５        凸条（凸部）
１６        凹溝（凹部）
２２        第２操作窓
２３        ハンガー体
Ｗ２        装置幅寸法
Ｗ１        吊下げ対象物の幅寸法
Ｒ１        棒状体の最大外形寸法
【図１】
2010162206.tif 000003
【図２】
2010162206.tif 000004
【図３】
2010162206.tif 000005
【図４】
2010162206.tif 000006
【図５】
2010162206.tif 000007
【図６】
2010162206.tif 000008
【図７】
2010162206.tif 000009